(57)【要約】【課題】この発明の目的は、装飾機能と健康増進あるいは治療・治癒機能を兼ね備えた装身具の構成素材に好適な新規な装身具用素材を提供することにある。【解決手段】１）金、銀もしくはプラチナ、あるいはこれらの合金からなる装身具用素材であり、この装身具用素材に波動エネルギーが照射されていることを特徴とする装身具用素材。２）純ゲルマニウム、チタンもしくは真ちゅうからなり、この純ゲルマニウム、チタンもしくは真ちゅうに波動エネルギーが照射されていることを特徴とする装身具用素材。３）ゲルマニウム、チタンもしくは真ちゅうを含み、主たる残部が金、銀もしくはプラチナ、あるいはこれらの合金からなり、このゲルマニウム、チタンもしくは真ちゅう含有貴金属に波動エネルギーが照射されていることを特徴とする装身具用素材。【選択図】なし【特許請求の範囲】
【請求項１】
金、銀もしくはプラチナ、あるいはこれらの合金からなる装身具用素材であり、この装身具用素材に波動エネルギーが照射されていることを特徴とする装身具用素材。
【請求項２】
ゲルマニウム、チタンもしくは真ちゅうからなり、このゲルマニウム、チタンもしくは真ちゅうに波動エネルギーが照射されていることを特徴とする装身具用素材。
【請求項３】
ゲルマニウム、チタンもしくは真ちゅうを含み、主たる残部が金、銀もしくはプラチナ、あるいはこれらの合金からなり、このゲルマニウム、チタンもしくは真ちゅう含有貴金属に波動エネルギーが照射されていることを特徴とする装身具用素材。
【発明の詳細な説明】
【０００１】
【発明の属する技術分野】この発明は、波動エネルギーを照射することにより、特性を付加した装身具用素材に関する。
【０００２】
【従来の技術】例えば、金を主成分とする金合金は主として装身具用に使用されている。そして金７５重量％、銀１２．５重量％、銅１２．５重量％の金合金はいわゆる１８金として装身具類に重用されている。
【０００３】上述のような装身具用の金合金に使用される金素材としては、特開平１０−６０５５６号、特開平１０−６０５５８号、特開平９−２０９０５９号、特開平９−２０９０６０号、特開平７−７０６７１号等に見られるように、種々の微量成分を配合してその硬度や表面強度を高めるようにしたものが知られている。
【０００４】また、ゲルマニウムを含有する貴金属合金としては、特開平６２−２０８５０号や特開平６３−１４８３０号等に見られるように、ゲルマニウムやインジウムを微量成分として含有する銀合金が知られている。しかしながら、これらの銀合金はゲルマニウムの含有量が微量であるため、健康増進や一定の治療・治癒効果を主要な目的とする健康指向の装身具には供することができなかった。
【０００５】ところで、指輪やピアスのように美的な身体装飾を主要な目的とする装身具、あるいは腕時計のベルトのように特定の機能を有する物品（時計本体）を身体に装着することを主要な目的とするものの他に、健康増進や治療・治癒効果を目的とする装身具があり、このような従来の装身具は、主成分としてゲルマニウムを含んでいる。
【０００６】
【特許文献１】特開平６２−２０８５０号
【特許文献２】特開平６３−１４８３０号
【０００７】
【発明が解決しようとする課題】上記の従来技術の他にも、装身具用素材については様々な検討がなされているが、特に皮膚に接触して用いられる装身具であって、健康増進等の効果が期待されるものに好適な装身具用素材はいまだ提供されていない。
【０００８】そこで本発明者は、鋭意検討を重ねた結果、装飾機能と健康増進あるいは治療・治癒機能を兼ね備えた装身具の構成素材に好適な新規な装身具用素材を発明した。
【０００９】
【課題を解決するための手段】すなわちこの発明の装身具用素材は、金、銀もしくはプラチナ、あるいはこれらの合金からなる装身具用素材であり、この装身具用素材に波動エネルギーが照射されていることを特徴とするものである。
【００１０】この発明の装身具用素材は、純ゲルマニウム、チタンもしくは真ちゅうからなり、この純ゲルマニウム、チタンもしくは真ちゅうに波動エネルギーが照射されていることをも特徴とするものである。
【００１１】またこの発明の装身具用素材は、ゲルマニウム、チタンもしくは真ちゅうを含み、主たる残部が金、銀もしくはプラチナ、あるいはこれらの合金からなり、このゲルマニウム、チタンもしくは真ちゅう含有貴金属に波動エネルギーが照射されていることをも特徴とするものである。
【００１２】この発明の装身具用素材によれば、金、銀もしくはプラチナ、あるいはこれらの合金からなる装身具用素材に波動エネルギーによる特性を付加することを可能とし、また適量のゲルマニウム、チタンもしくは真ちゅうを含有させることで、そのゲルマニウム、チタンもしくは真ちゅう成分に波動エネルギーを照射し、波動エネルギーを搭載した装身具用素材を提供することができるようにしたものである。なお、ゲルマニウム、チタンもしくは真ちゅうが３重量％未満のときは波動エネルギー搭載の作用がほとんど見られなくなってしまうが、３重量％以上であれば波動エネルギー搭載の作用が得られる。
【００１３】金や銀、プラチナのみならず、ゲルマニウム、チタンもしくは真ちゅうも装身具として、皮膚に接触させて用いるのに安全な素材であり、例えばカドミウムなどは装身具には使用できない。
【００１４】ゲルマニウム、チタンもしくは真ちゅうが遠赤外効果を有することは周知である。つまり、肩凝り等を治療・治癒する健康増進、治療効果が十分に発揮できる。ゲルマニウム、チタンもしくは真ちゅうの遠赤外効果は、貴金属素材の基材中に３〜５重量％含有するときに、特に効果的に発揮される。
【００１５】この発明の装身具用素材は、身体に装用した状態で皮膚に接触する外表面が、この装身具用素材で構成されている装身具に好適に使用することが可能である。身体に装用した状態で皮膚に接触する装身具としては、例えばネックレス、ブレスレット、リストバンド、指輪、腕時計等があるが、これらの全体が本発明の装身具用素材で形成されていても良く、表面層が本発明の装身具用素材で構成されていても良い。
【００１６】
【発明の実施の形態】本発明は、装飾機能と健康志向機能を兼ね備えた装身具に関するものであり、基材として金、銀もしくはプラチナ、あるいはこれらの合金のみならず、純ゲルマニウム、チタンもしくは真ちゅう（純度９９．９９９％）もしくはゲルマニウム、チタンもしくは真ちゅうを含有する貴金属（金、銀もしくはプラチナ、あるいはこれらの合金）を用いる。例えば、金や銀、プラチナ等に適量のゲルマニウム、チタンもしくは真ちゅうを加えて合金とすることにより、装飾機能と健康志向機能をともに向上させつつ、装飾機能向上のための加工性改善と健康志向機能の増大を同時に実現している。
【００１７】ゲルマニウム、チタンもしくは真ちゅうを貴金属と合金化する場合、例えばイリジウム、ボロン、亜鉛、アルミニウムなどを添加して配合することがあるが、ゲルマニウム、チタンもしくは真ちゅうが安定しなかったり、酸化等の変質を起こすことがあるため、これらと共同しては使いにくい。これに対し、インジウムは原子半径が比較的大きく、しかも酸化もし難いので、添加元素として好適である。さらに、インジウムを添加するとゲルマニウム、チタンもしくは真ちゅうと合金化することで低下した展性、延性が回復するので、装飾的な加工が容易になるとともに、装身具としての適度の硬度も維持される。しかしながら、ゲルマニウム、チタンもしくは真ちゅうを貴金属合金の成分として使用する場合にインジウムを添加すると、インジウムの添加によって合金の展性があまりにも大きくなりすぎるので使用することが困難である。
【００１８】なお、貴金属合金にしばしば添加される錫、カドミウム、パラジウム、ビスマスなどは、次の理由により好ましくない。まず、錫についてはゲルマニウム、チタンもしくは真ちゅうとの共存状態においては不安定である。カドミウムは有害であるだけでなくゲルマニウム、チタンもしくは真ちゅう中で不純物準位を作り、使用できない。ビスマスやパラジウムについてもゲルマニウム、チタンもしくは真ちゅう中で不純物準位を作り、やはり使用できない。
【００１９】ところで、肩凝り等を治療・治癒する健康増進、治療効果をもたらすゲルマニウム、チタンもしくは真ちゅうの遠赤外効果は、貴金属の基材中でゲルマニウム、チタンもしくは真ちゅうの微結晶が形成されているときに発揮される。これは、ゲルマニウム、チタンもしくは真ちゅうの微結晶は微小ながらも結晶であることから、半導体的な性質を持つためであり、したがって本発明者の実験および仮説によれば、ゲルマニウム、チタンもしくは真ちゅうが３重量％以上、５重量％未満のとき、ゲルマニウム、チタンもしくは真ちゅう微結晶による遠赤外効果が発揮される。
【００２０】この発明においては、金、銀もしくはプラチナ、あるいはこれらの合金、純ゲルマニウム、チタンもしくは真ちゅうもしくはゲルマニウム、チタンもしくは真ちゅうを含有する貴金属合金に波動エネルギーが照射されている。この波動エネルギーは、次のようにして照射される。
【００２１】極超高周波数の微弱エネルギー波動を照射した炭素材、トルマリン材、珪素材等の微細粒子を所定のシート材に配設し、この活性用シートを中空のハウジング内に取り付ける。
その上で、活性用シートを内装した中空ハウジングの内部に、金、銀もしくはプラチナ、あるいはこれらの合金、純ゲルマニウム、チタンもしくは真ちゅうもしくはゲルマニウム、チタンもしくは真ちゅう含有貴金属（ゲルマニウム、チタンもしくは真ちゅうを含み、主たる残部が金、銀もしくはプラチナ、あるいはこれらの合金）を通し、それらに波動エネルギーを照射させるのである。もちろん、予め装身具として製品化したものを通過させてもよい。
【００２２】工程１（準備段階）：上記シート材として、絹、木綿、麻等の天然繊維のものや、レーヨン、ポリプロピレンや、ナイロン、アラミド、アミイド等の強度の強い合繊樹脂のものが使用可能である。
また、照射対象の微細粒子としては、波動エネルギーを蓄積しやすい炭素材、トルマリン材、珪素材等が好ましく、またこれらは併用するのがさらに好ましく、特に炭素粒とトルマリン粒とを９５〜７０：５〜３０％の割合で混合すると相乗効果が生じて好ましい。これらの粒子としては１μｍ以下の超微細なものが好ましい。
炭素粒としては、人造黒鉛、チップ黒鉛、焙焼無煙炭や、珪素材、トルマリン材を炭化したものなどが使用できる。
【００２３】工程２（波動エネルギー照射段階）：そして、上記微細粒子に無誘導巻型コイルで、いわゆる正十二面体や正二十面体の５×１０１７〜１０２０ヘルツの超高周波数のエネルギー波動のスカラー波を照射して打ち込み、この波動を定着させるようにするものである。無誘導巻型コイルとは、同じ巻き数の左巻きと右巻きコイルを配したもので、これによってつくられた波動を打ち込むと、正十二面体や正二十面体の波動となって作用する効能が得られる。
なお、このように照射した微細粒子を所定量均一状に上記したシート材に接着したりして取着したり、またシート材に接着したりして取着した微細粒子を、上記したようにして超高周波のエネルギー波動のスカラー波を照射して打ち込み、この波動を定着させるようにすることができる。
【００２４】工程３（各種製品への波動エネルギー照射段階）その上で、活性用シートを内装した中空ハウジングの内部に、金、銀もしくはプラチナ、あるいはこれらの合金、純ゲルマニウム、チタンもしくは真ちゅうもしくはゲルマニウム、チタンもしくは真ちゅう含有貴金属（ゲルマニウム、チタンもしくは真ちゅうを含み、主たる残部が金、銀もしくはプラチナ、あるいはこれらの合金）を通し、それらに波動エネルギーを照射させる。
【００２５】波動エネルギーが照射された金、銀もしくはプラチナ、あるいはこれらの合金、純ゲルマニウム、チタンもしくは真ちゅうもしくはゲルマニウム、チタンもしくは真ちゅうを含有する貴金属合金等は、吸収した波動エネルギーにより生体に温度上昇を起こす、いわゆる温熱効果が発揮される。また波動エネルギーの性質によっては、上記の熱作用に加えて、照射された微弱な電磁波等が生体に直接作用し、いわゆる非熱作用が発揮される。
【００２６】もっとも、上記の説明はあくまで仮説であり、この仮説の妥当性により本発明の特徴および範囲、すなわち、金、銀もしくはプラチナ、あるいはこれらの合金、純ゲルマニウム、チタンもしくは真ちゅうもしくはゲルマニウム、チタンもしくは真ちゅうを含有する貴金属合金に波動エネルギーが照射されていることを特徴とすることが影響されるものではない。
【００２７】
【発明の効果】この発明によれば、装飾機能と健康志向機能を兼ね備えた装身具用素材、およびこれを材料とした装身具を実現できる。特に、この発明の装身具用素材によれば、波動エネルギーによる健康増進、治療効果を同時に実現することが可能になる。